(57)【特許請求の範囲】
【請求項１】
液不透過性の防漏層及び該防漏層の上方に配された液保持性の吸収層を具備する実質的に縦長の吸収性物品において、
上記吸収層は、液保持性の吸収体と、該吸収体の少なくとも肌当接面側を覆うように配された液透過性の表面シートとを具備してなり、少なくとも該吸収層の長手方向の中央部が上記防漏層に固定されており、該防漏層に固定されていない後方自由縁部が形成されており、
少なくとも上記後方自由縁部には、上記吸収体の長手方向に沿って且つ所定の長さに亘って弾性部材が配されており、該弾性部材の収縮により該後方自由縁部が上記防漏層の上方に向けて起立するようになされていることを特徴とする吸収性物品。
【請求項２】
上記中央部の左右両側に、それぞれ左方自由縁部及び右方自由縁部が形成されており、該左方自由縁部及び該右方自由縁部には、上記吸収体の長手方向に沿って且つ所定の長さに亘って弾性部材が配されており、該弾性部材の収縮により該左方自由縁部及び右方自由縁部が上記防漏層の上方に向けて起立するようになされていることを特徴とする請求項１記載の吸収性物品。
【請求項３】
更に、上記前方自由縁部には、弾性部材が配されており、該弾性部材の収縮により該前方自由縁部が上記防漏層の上方に向けて起立するようになされていることを特徴とする請求項１記載の吸収性物品。
【請求項４】
上記後方自由縁部は、その幅方向中央部が隆起するように第２の吸収体が配されていることを特徴とする請求項１記載の吸収性物品。
【請求項５】
上記防漏層は、液透過性シートと防漏シートと両シート間に介在された吸収シートとからなることを特徴とする請求項１記載の吸収性物品。
【請求項６】
上記吸収体は、厚さ０．３〜５ｍｍの吸収シートを用いて形成されていることを特徴とする請求項１記載の吸収性物品。
【請求項７】
上記吸収体は、高吸収性ポリマーを含有するポリマーシートを用いて形成されていることを特徴とする請求項１記載の吸収性物品。
【発明の詳細な説明】
【０００１】
【発明の属する技術分野】
本発明は、フィット性が高く、モレにくい、生理用ナプキンや失禁パッドなどの吸収性物品に関する。
【０００２】
【従来の技術及び発明が解決しようとする課題】
従来より、防漏層と該防漏層上に設けられた吸収層とからなる生理用ナプキンなどの吸収性物品は、広く用いられている。
しかし、従来用いられていた吸収性物品においては、着用者が激しい運動をした場合等におけるショーツの変形や股間部の動きに対して、生理用ナプキンが追随することができず、該生理用ナプキンがずれてしまい、液漏れが生じるという問題がある。また、ルーズなショーツを装着すると、排泄部とナプキンのすきまが大きくなり、液流れやモレの頻度が高くなるという問題もある。
【０００３】
そこで、このような問題を解消すべく、特開平３−１８４５４２号公報において、吸収性を有する上層と防漏性を有する下層とからなり、両者がその周縁部において連結されてなる２層構造の生理用ナプキンが提案されているが、この提案にかかる生理用ナプキンでは、着用者の肌に当接する上層が十分に着用者の動きに追随可能なものではなく、未だ上述の問題は解消されていなかった。
【０００４】
従って、本発明の目的は、フィット性が高く、着用中に着用者の動きにスムーズに追従可能であり、漏れ防止性に優れた、吸収性物品を提供することにある。
【０００５】
【課題を解決するための手段】
本発明者らは、上記課題を解決すべく鋭意検討した結果、吸収層と防漏層とからなり、該吸収層の長手方向の中央部が上記防漏層に固定されて後方自由縁部が形成されており、該後方自由縁部が上記防漏層の上方に向けて起立するようになされた吸収性物品が、上記目的を達成しうることを知見した。
【０００６】
本発明は、上記知見に基づいてなされたもので、液不透過性の防漏層及び該防漏層の上方に配された液保持性の吸収層を具備する実質的に縦長の吸収性物品において、上記吸収層は、液保持性の吸収体と、該吸収体の少なくとも肌当接面側を覆うように配された液透過性の表面シートとを具備してなり、少なくとも該吸収層の長手方向の中央部が上記防漏層に固定されており、該防漏層に固定されていない後方自由縁部が形成されており、少なくとも上記後方自由縁部には、上記吸収体の長手方向に沿って且つ所定の長さに亘って弾性部材が配されており、該弾性部材の収縮により該後方自由縁部が上記防漏層の上方に向けて起立するようになされていることを特徴とする吸収性物品を提供するものである。
【０００７】
また、本発明は、上記中央部の左右両側に、それぞれ左方自由縁部及び右方自由縁部が形成されており、該左方自由縁部及び該右方自由縁部には、上記吸収体の長手方向に沿って且つ所定の長さに亘って弾性部材が配されており、該弾性部材の収縮により該左方自由縁部及び右方自由縁部が上記防漏層の上方に向けて起立するようになされている上記吸収性物品を提供するものである。
また、本発明は、更に、上記前方自由縁部には、弾性部材が配されており、該弾性部材の収縮により該前方自由縁部が上記防漏層の上方に向けて起立するようになされている上記吸収性物品を提供するものである。
また、本発明は、上記後方自由縁部は、その幅方向中央部が隆起するように第２の吸収体が配されている上記吸収性物品を提供するものである。
【０００８】
また、本発明は、上記防漏層は、液透過性シートと防漏シートと両シート間に介在された吸収シートとからなる上記吸収性物品を提供するものである。
また、本発明は、上記吸収体は、厚さ０．３〜５ｍｍの吸収シートを用いて形成されている上記吸収性物品を提供するものである。
また、本発明は、上記吸収体は、高吸収性ポリマーを含有するポリマーシートを用いて形成されている上記吸収性物品を提供するものである。
【０００９】
【発明の実施の形態】
以下、本発明について、図面を参照して更に詳述する。
ここで、図１は、本発明の吸収性物品の第１の形態としての生理用ナプキンを示す斜視図であり、図２は、図１に示す生理用ナプキンのII-II 断面図であり、図３は、図１に示す生理用ナプキンのIII-III 断面図であり、図３は、図１に示す生理用ナプキンの使用状態を示す概略図である。
【００１０】
本形態の吸収性物品としての生理用ナプキン１は、図１に示すように、液不透過性の防漏層３及び該防漏層３の上方に配された液保持性の吸収層２を具備し、実質的に縦長である。
【００１１】
而して、本形態の生理用ナプキン１は、図１〜３に示すように、上記吸収層２が、液保持性の吸収体２１と、該吸収体２１の全面（肌当接面側及び裏面側）を覆うように配された液透過性の表面シート２２とを具備してなり、該吸収層の長手方向の中央部２ａが上記防漏層３に固定されており、該防漏層３に固定されていない後方自由縁部２３が形成されており、少なくとも上記後方自由縁部２３には、上記吸収体２１の長手方向に沿って且つ所定の長さに亘って弾性部材４が配されており、該弾性部材４の収縮により該後方自由縁部２３が上記防漏層３の上方に向けて起立するようになされている。
【００１２】
更に詳述すると、本形態の生理用ナプキン１は、図１〜３に示すように、中央部２ａのみが防漏層３に固着されており、上記後方自由縁部２３と共に前方自由縁部２６が形成されている。そして、該前方自由縁部２６は、上記弾性部材の作用により上記防漏層３の上方に向けて起立するようになされている。即ち、上記前方自由縁部２６には、上記弾性部材４が配されており、該弾性部材４の収縮により該前方自由縁部２６が上記防漏層３の上方に向けて起立するようになされている。
また、上記中央部２ａの左右両側に、それぞれ左方自由縁部２４及び右方自由縁部２５が形成されており、該左方自由縁部２４及び該右方自由縁部２５には、上記吸収体２１の長さ方向に沿って且つ所定の長さに亘って弾性部材４が配されており、該弾性部材４の収縮により該左方自由縁部２４及び右方自由縁部２５が上記防漏層３の上方に向けて起立するようになされている。
このように、前方自由縁部２６、後方自由縁部２３、左方自由縁部２４、右方自由縁部２５が形成されており、且つそれぞれ、上記弾性部材の作用により上方に向けて起立されるようになされていることにより、全体として、吸収層２が湾曲したカップ状となっている。
【００１３】
上記吸収層２は、図２及び３に示すように、吸収体２１の外面全面を表面シート２２で被覆して形成されている。また、上記吸収層２には、該吸収層２における上記前方、後方、左方及び右方自由縁部２６，２３，２４，２５の起立をより良好なものとして、よりフィット性に優れたカップ状の形状を形成するために、図１に示すように、溝部６が形成されている。また、該溝部６の内方においては、上記吸収体２１上に第２吸収体２７が載置されており、立体形状を形成している。
上記防漏層３は、図２及び３に示すように、液透過性シート３２と防漏シート３１と両シート間に介在された吸収シート３３とからなる。
また、上記弾性部材４は、図１〜３に示すように、吸収層の長手方向左右両側縁において、吸収体２１の縁部に沿って配されており、更に上記表面シート２２で覆われており、該表面シートに接着剤（図示せず）を介して接着されている。また、該弾性部材４の長さは、吸収層の長さを１００とした時、４０〜９０とするのが好ましい。
尚、本明細書において、「前方」、「左方」、「右方」、「後方」の語は、便宜上用いているものであり、特に定義する場合を除きこれらの語により装着方向等が定まるものではない。
【００１４】
吸収層の幅Ｗ1 は、３０〜１００ｍｍとするのが好ましく、長さＬ1 は、１５０〜３５０ｍｍとするのが好ましい。
また、上記吸収層２の長手方向における湾曲率（曲率半径）は、６０〜２５０とするのが好ましく、幅方向における湾曲率（曲率半径）は、３０〜１００とするのが好ましい。尚、該曲率半径は、下記の如くして求めることができる。
【００１５】
〔曲率半径の求め方〕
図９（ａ）に示す円弧Ａの曲率＝１／曲率半径（ｒ）であり、曲率半径ｒは、三平方の定理より、次式▲１▼で表される。
（ｒ−ｈ）2 ＋ａ2 ＝ｒ2 ・・・・・▲１▼
更に該式▲１▼を展開すると、次式▲２▼が得られる。
ｒ＝（ｈ2 ＋ａ2 ）／２ｈ・・・・・▲２▼
そこで、図９（ｂ）に示すように、ナプキン全体を円弧Ａに見立てて、ナプキンの底面からの立ち上がり高さ（両端の高さが同じになるようにナプキンを台上においた場合における該台との接点ｐから上記両端の高さまでの距離）ｈと、湾曲したナプキンの見かけ長さの半分であるａを測定し、該ｈ及び該ａを上記式▲２▼に代入して、曲率半径を求めた。具体的には、生理用ナプキンを非応力下に置き、その長手方向（幅方向）両端の位置から最下点ｐまでの高さｈを求めた。また、ナプキンの両端部分間の直線距離（２ａ）を求め、ａを算出した。得られたｈ及びａを上記式▲２▼に代入し、各生理用ナプキンの曲率半径ｒを求めた。
【００１６】
また、上記左方自由縁部２４の巾Ｗ2 は、５〜３０ｍｍとするのが好ましく、上記右方自由縁部２５の巾Ｗ3 は、５〜３０ｍｍとするのが好ましく、上記前方自由縁部２６の長さＬ2 は、３０〜１００ｍｍとするのが好ましく、上記後方自由縁部２３の長さＬ3 は、３０〜１５０ｍｍとするのが好ましい。
【００１７】
また、上記裏面シート３１の裏面側には、生理用ナプキンを使用時にショーツなどに固着するためのズレ止め部５が、該裏面シート３１上に粘着剤を塗布することにより形成されている。
【００１８】
次に、本形態の生理用ナプキンの各部材の構成材料について説明する。
上記表面シート２２、上記裏面シート３１、上記液透過性シート３２及び上記吸収シート３３としては、通常、生理用ナプキンに用いられるものを特に制限なく用いることができる。
上記吸収体２１は、厚さ０．３〜５ｍｍの吸収シートを用いて形成されているか、又は、高吸収性ポリマーを含有するポリマーシートを用いて形成されているのが好ましい。
上記吸収シートとしては、フラッフパルプをバインダーで結合した乾式パルプシート、不織布、紙等の親水性で吸収性を有するシート状の吸収材料等が挙げられる。
上記ポリマーシートとしては、紙や不織布等の吸収シートの間に吸水ポリマーを散布し、水やホットメルトで吸水ポリマーを固定したポリマーシート、より好ましくは下記するポリマーシート等が挙げられる。
【００１９】
フラッフパルプ、及び繊維に高吸収性ポリマーを混合してシート状に形成したシート等。尚、繊維に高吸収性ポリマーを混合してシート状に形成したシートとしては、高吸収性ポリマーが層状に分散されているもの、三次元状に分散されているもののいずれも用いることができる。
上記ポリマーシートに用いられる繊維としては、木材パルプ等のセルロース繊維、レーヨン、キュプラ等の再生セルロース繊維、ポリビニルアルコール繊維やポリアクリロニトリル繊維等の親水性合成繊維、若しくは、界面活性剤等で繊維表面を親水化したポリエチレン、ポリプロピレン、ポリエチレンテレフタレート、ポリエチレン／ポリプロピレン複合繊維、ポリエチレン／ポリエチレンテレフタレート複合繊維が好ましく、親水性が良好に維持される点からは、セルロース繊維がより好ましい。
【００２０】
また、上記ポリマーシートに用いられる上記高吸収性ポリマーとしては、自重の２０倍以上の液体を吸収・保持でき且つゲル化し得るものが好ましく、そのような例としては、デンプンや架橋カルボキシメチル化セルロース、ポリアクリル酸及びその塩並びにポリアクリル酸塩グラフト重合体等を挙げることができる。ポリアクリル酸塩としては、ナトリウム塩が好ましい。また、アクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合体も好ましく用いられる。
特に、イオン浸透圧によって大量の液体を吸収保持し且つ吸収いた液体が加圧下でも漏れ出さない様な、アクリル酸又はアクリル酸アルカリ金属塩（ナトリウム塩、カリウム塩）等を重合し、架橋して水不溶化させた、水不溶性親水性架橋重合体粒子からなる高吸収性ポリマーが好ましく用いられる。
【００２１】
また、特に好ましい上記ポリマーシートとしては、嵩高性の親水性繊維及び熱溶融性接着繊維または紙力補強剤から形成された繊維構造体と高吸収性ポリマー粒子とから構成され、上記高吸収性ポリマー粒子はポリマーシートが液体を吸収するシート表面には存在せず、上記繊維構造体中に分散固定されており、上記高吸収性ポリマーの散布坪量が２０〜７０ｇ／ｍ2 であり、シートの厚みが０．３〜１．５ｍｍであるポリマーシートが挙げられる。
この様なポリマーシートは、１枚のシート中に高吸収性ポリマーが３次元的に分散・固定されている為に、該高吸収性ポリマーの吸収能が効果的に発揮され、また、ポリマーのゲルブロッキングも少ない為、体液がスムーズに吸収シート中を伝達し易く、高い吸収能を得る為好ましい使用できる。
【００２２】
また、上記接着剤及び上記粘着剤としては、通常のものを特に制限なく用いることができる。
【００２３】
上記弾性部材４としては、通常、生理用ナプキン等の吸収性物品に用いられるものを特に制限なく用いることができるが、ポリオレフィン類、ポリウレタン類及びこれらの共重合体、又は天然ゴム等からなる弾性材料を好ましく用いることができる。また、上記弾性部材の使用形態は特に制限されず、該弾性材料からなる発泡シート、該弾性材料からなる糸ゴムや該糸ゴムを配してなるシート及び該弾性材料からなる繊維の繊維集合体（不織布）、該弾性材料からなるフィルム等の形態で用いることができる。
また、上記弾性部材４は、３０％の伸長時に１０〜３００ｇの応力を有するのが好ましい。
尚、上記応力は、下記の如くして測定される。
（応力の測定法）
吸収性物品に用いる弾性部材を、テンシロン引張試験機にてチャック間距離５０ｍｍで引張速度３００ｍｍ／ｓで伸張し、伸張率３０％、即ち６５ｍｍまで伸張した時の応力を測定する。
【００２４】
また、上記吸収層２は、上記防漏層３に接着剤を介して接着、固定されている。尚、接着方法はこれに限定されず、ヒートシール等により接着することができる。
【００２５】
本形態の生理用ナプキンは、通常公知の夜用の生理用ナプキン等と同様にして使用することができる。
そして、本形態の生理用ナプキン１は、上述の如く構成されているので、図４に示すように、ショーツの種類によらず、例えば、ルーズなショーツにおいても、また着用中に着用者の身体が動いても、吸収層２における前方、後方、左方及び右方自由縁部２７、２３、２４、２５が、ショーツの動きとは離れて、身体の動きに合わせて身体に常にフィットする様に湾曲／追随するため、フィット性が高く、モレ難いものである。
【００２６】
本形態の生理用ナプキンは、常法に従って上記吸収層を形成し、また、常法に従って上記防漏層を形成した後、両者を接着剤を介して該吸収層の前方部及び中央部が接着されるように固着する等して得られる。
【００２７】
次いで、本発明の吸収性物品の他の形態について図５〜７を参照して説明する。
ここで、図５は、本発明の吸収性物品の第２の形態としての生理用ナプキンを示す斜視図であり、図６は、図５に示す生理用ナプキンのVI-VI 断面図であり、図７は、図５に示す生理用ナプキンのVII-VII 断面図である。
尚、特に詳述しない点については、上述した第１の形態の生理用ナプキンと同様である。
【００２８】
図５〜７に示す本形態の生理用ナプキン１は、上記吸収層２は、液保持性の吸収体２１と、該吸収体２１の少なくとも肌当接面側を覆うように配された液透過性の表面シート２２とを具備してなり、該吸収層２の長手方向の中央部２ａが上記防漏層３に固定されており、該防漏層３に固定されていない後方自由縁部２３が形成されており、上記後方自由縁部２３には、上記吸収体２１の長手方向に沿って且つ所定の長さに亘って弾性部材４が配されており、該弾性部材４の収縮により該後方自由縁部が上記防漏層の上方に向けて起立するようになされている。
【００２９】
更に詳述すると、本形態の生理用ナプキン１は、生理用ナプキン自体の長さが長く（長さ２５０〜４００mm）、後方部（着用時に着用者の後ろ側に位置する部分）が扇状に幅広に形成された、いわゆる夜用の生理用ナプキンである。
また、上記吸収層２において、防漏層３に固定されている吸収層２の部分は、上記中央部２ａ及び前方部２７’であり、後方自由縁部２３が防漏層３に固定されず起立可能になされている。
上記後方自由縁部２３には、その幅方向中央部が隆起するように（立体形状となるように）、第２の吸収体２１ａが配されている。また、該第２の吸収体２１ａは、上記吸収体２１と上記表面シート２２との間に配されている。
そして、上記弾性部材４は、上記後方自由縁部２３の左右両側縁部において、吸収体２１の側縁に沿って且つ表面シート２２で覆われて配されている。
また、防漏層３の前方における左右両側には裏面側に粘着剤を塗布してズレ止め部７１が設けられた一対のウイング部７が設けられている。本形態においては、該ウイング部７も、防漏層３における他の部位と同様に液透過性シート３２と防漏シート３１と両シート間に介在された吸収シート３３とからなるが、吸収シート３３を設けずに液透過性シート３２と防漏シート３１を貼り合わせて形成することもできる。
【００３０】
上記吸収層２の長さＬ1 は、２３０〜４００ｍｍであるのが好ましく、また、後方自由縁部２３のＬ2 は、５０〜２００ｍｍであるのが好ましい。換言すると、後方自由縁部２３は、吸収層２の後端から５０〜２００ｍｍまでの長さの部位を意味する。
また、上記前方部２７’及び中央部２ａにおける上記吸収層２の左右両側縁部は、表面シート２２と吸収体２１とが一体で折り重ねられており、防漏壁２８が形成されている。
【００３１】
このような構成を有する本形態の生理用ナプキンも、上記の第１の形態の生理用ナプキンと同様の効果を奏する。
また、本形態の生理用ナプキンも、上記の第１の形態の生理用ナプキンと同様にして製造することができる。
【００３２】
尚、本発明の吸収性物品は、上述の形態に制限されるものではなく、本発明の趣旨を逸脱しない範囲で種々変更可能である。
例えば、上記の第２の形態においても前述の第１の形態と同様に、上記吸収性物品の幅方向左右両端部に弾性材を介し、幅方向両端部において、左右の自由縁部を上方に向けて起立させても良い。また、図８に示す如く、第２の吸収体２ａを後方部まで伸びた細長い形状とし、吸収体を排泄部からオシリの溝にわたってフィットするように隆起させた形態とすることができる。
また、上述の第２の形態において、第２の吸収体２１ａは、上記吸収体２１と上記表面シート２２との間に配されているが、吸収体２１の層間に配しても良い。
【００３３】
【発明の効果】
本発明の吸収性物品は、フィット性が高く、着用中に着用者の動きにスムーズに追従可能であり、漏れ防止性に優れたものである。
【図面の簡単な説明】
【図１】図１は、本発明の吸収性物品の第１の形態としての生理用ナプキンを示す斜視図である。
【図２】図２は、図１に示す生理用ナプキンのII-II 断面図である。
【図３】図３は、図１に示す生理用ナプキンのIII-III 断面図である。
【図４】図４は、図１に示す生理用ナプキンの使用状態を示す概略図である。
【図５】図５は、本発明の吸収性物品の第２の形態としての生理用ナプキンを示す斜視図である。
【図６】図６は、図５に示す生理用ナプキンのVI-VI 断面図である。
【図７】図７は、図５に示す生理用ナプキンのVII-VII 断面図である。
【図８】図８は、本発明の吸収性物品の他の形態としての生理用ナプキンを示す斜視図である。
【図９】図９は、曲率半径の測定法の概略を示す概略図である。
【符号の説明】
１  生理用ナプキン
２  防漏層
２１  吸収体
２２  表面シート
２３  後方自由縁部
２４  左方自由縁部
２５  右方自由縁部
２７  前方自由縁部
３  吸収層
３１  防漏シート
３２  液透過性シート
３３  吸収シート
４  弾性部材
５  ズレ止め部
【図１】
0003707915.tif 000002
【図２】
0003707915.tif 000003
【図３】
0003707915.tif 000004
【図４】
0003707915.tif 000005
【図５】
0003707915.tif 000006
【図６】
0003707915.tif 000007
【図７】
0003707915.tif 000008
【図８】
0003707915.tif 000009
【図９】
0003707915.tif 000010